(57)【要約】【課題】火災感知器が作動した順に表示されている各住戸において、火災が確定したかどうかを容易に確認でき、火元の特定をし易くした住棟受信機を提供する。【解決手段】住棟受信機１は、火災信号の送信元である住戸情報を表示させる表示部１４を設けており、この表示部１４は、火災信号を受信した順序で住戸情報を複数表示でき、それらの住戸情報は第１の火災信号、第２の火災信号によって異なる態様にしている。【選択図】図１
2007286763.tif 000002
【特許請求の範囲】
【請求項１】
集合住宅の各住戸に設置された住戸受信機から第１、第２の火災信号を受信して、警報制御を行う集合住宅火災警報システムに使用される住棟受信機において、
上記住棟受信機は、火災信号の送信元である住戸情報を表示させる表示部を設けており、
この表示部は、火災信号を受信した順序で上記住戸情報を複数表示でき、それらの住戸情報は第１の火災信号、第２の火災信号によって異なる態様にしていることを特徴とする住棟受信機。
【請求項２】
請求項１において、
上記住戸情報の表示態様は、第１の火災信号の送信元である場合には点滅、第２の火災信号の送信元である場合には点灯に変化するようにしていることを特徴とする住棟受信機。
【請求項３】
請求項１または２において、
上記表示部にはスクロール表示ボタンを設けており、
このスクロール表示ボタンを操作することで、上記表示部に表示できない住戸情報を順次スクロールして表示する構成にしていることを特徴とする住棟受信機。
【請求項４】
請求項１〜３のいずれかに記載の住棟受信機を備えたことを特徴とする、集合住宅火災警報システム。
【発明の詳細な説明】
【技術分野】
【０００１】
本発明は、住棟受信機、及びこれを用いた集合住宅火災警報システムの改良に関する。
【背景技術】
【０００２】
従来より、特許文献１に示すような集合住宅火災警報システムが使用されている。
【０００３】
この種の集合住宅火災警報システムは、少なくとも、管理人室などに設置される住棟受信機と、各住戸に設置される住戸受信機とを接続して構成されており、各住戸に設置される住戸受信機には火災感知器が接続されて、住戸受信機から送出される第１、第２の火災信号に基づいて警報制御を行うようにしている。
【０００４】
各住戸の住戸受信機は、その住戸の火災感知器が作動したときには、第１の火災信号を住棟受信機に送信するとともに、住戸人に火災感知器の作動を確認させるためのメッセージを鳴動させるなどして、住戸人にその確認を促す。
【０００５】
住戸人は、このメッセージなどに従って火災感知器の作動を確認した結果、火災が発生していれば、火災確定スイッチを操作する。すると、第２の火災信号を住棟受信機に送信するとともに、住戸人に避難を促すためのメッセージを鳴動させるなどする。
【０００６】
また、住戸受信機は、火災感知器が作動してから所定時間内は、感知器復旧スイッチの操作を有効とし、所定時間内に感知器復旧スイッチの操作がされたときには、火災感知器の作動を停止させるとともに、復旧信号を住棟受信機に送信し、かつ、火災感知器の作動を確認させるためのメッセージの鳴動を停止させる。
【０００７】
一方、住棟受信機は、各住戸の住戸受信機をポーリング動作により順次、住戸受信機に断線などの異常がないかを確認しており、いずれかの住戸受信機から、アドレスを付加した割り込み信号を受けたときには、その信号が第１の火災信号か第２の火災信号かを判別する。
【０００８】
その信号が第１の火災信号であるときには、アドレスを基にしてその住戸の火災感知器が作動したことを感知器作動表示部に表示するとともに、そのことを知らせるメッセージを鳴動させる一方、その信号が第２の火災信号であるときには、その住戸の火災が確定したことを火災確定表示部に表示するとともに、そのことを知らせるメッセージを鳴動させる。
【０００９】
また、第１の火災信号に続いて同一アドレスを付加した復旧信号を受信したときには、その住戸の火災感知器が作動したことを示す表示、メッセージを停止させる。
【００１０】
これにより、住棟受信機では、火災感知器が作動した住戸を、各住戸の住戸受信機から第１の火災信号を受信順に、感知器作動表示部に表示するとともに、
火災が確定した住戸を、第２の火災信号を受信順に表示することができ、火災感知器が作動した住戸と、火災が確定した住戸とを独立して確認できるようになっている。
【特許文献１】特許第３３１０９１７号公報
【発明の開示】
【発明が解決しようとする課題】
【００１１】
ところが、上記した従来の集合住宅火災警報システムでは、住棟受信機は、火災感知器が作動した住戸と、火災が確定した住戸とを、それぞれ、第１の火災信号、第２の火災信号の受信順に独立して表示しており、火災感知器が作動した住戸と同一の住戸の火災確定とが対応して表示されるのではないため、火災感知器が作動した住戸として表示されている住戸において、火災が確定したかを確認しずらかった。
【００１２】
そのため、最初に感知器作動表示部に表示された住戸において火災が確定しても、その前に、他の住戸が延焼などによって火災が確定していた場合には、火災確定表示部には、最初に当該他の住戸が表示されるため、火元がどの住戸であるかを特定することが困難であった。
【００１３】
本発明は、このような事情を考慮して提案されるものであり、火災感知器が作動した順に表示されている各住戸において、火災が確定したかどうかを容易に確認でき、火元の特定をし易くした住棟受信機、及びこれを用いた集合住宅火災警報システムを提供することを目的とする。
【課題を解決するための手段】
【００１４】
上記課題を解決するために、請求項１では、住棟受信機は、火災信号の送信元である住戸情報を表示させる表示部を設けており、この表示部は、火災信号を受信した順序で住戸情報を複数表示でき、それらの住戸情報は第１の火災信号、第２の火災信号によって異なる態様にしていることを特徴とする。
【００１５】
ここに、第１の火災信号とは、火災感知器が作動したことを知らせるものであり、第２の火災信号とは、実火災であることを知らせるものである。
【００１６】
この住棟受信機は、表示部には、火災信号を受信した順序で住戸情報を表示し、これらの表示態様は、第１の火災信号、第２の火災信号によって異なる態様にしている。
【００１７】
これにより、火災感知器が作動した順に表示されている各住戸において、火災が確定したかどうかを容易に確認でき、火元の特定を容易にできる。
【００１８】
請求項２では、住戸情報の表示態様は、第１の火災信号の送信元である場合には点滅、第２の火災信号の送信元である場合には点灯に変化するようにしていることを特徴とする。
【００１９】
この住棟受信機は、住戸情報の表示態様の一例を具体的に規定しているが、第１の火災信号、第２の火災信号によって異なる態様であればよく、この例には限られない。
【００２０】
請求項３では、表示部にはスクロール表示ボタンを設けており、このスクロール表示ボタンを操作することで、表示部に表示できない住戸情報を順次スクロールして表示する構成にしていることを特徴とする。
【００２１】
請求項４では、請求項１〜３のいずれに記載の住棟受信機を備えたことを特徴とする。
【００２２】
これにより、請求項１〜３のいずれかの利点を有した集合住宅火災警報システムを提供することができる。
【発明の効果】
【００２３】
以上の説明からも理解できるように、請求項１によれば、火災信号を受信した順序で住戸情報を複数表示して、これらの住戸情報は第１の火災信号、第２の火災信号によって異なる態様にしているので、火災感知器が作動した順に表示されている各住戸において、火災が確定したかどうかを容易に確認でき、火元の特定を容易にできる。
【００２４】
請求項２によれば、住戸情報の表示態様は、第１の火災信号の送信元である場合には点滅、第２の火災信号の送信元である場合には点灯に変化するため、表示されている住戸において、火災感知器が作動したのみか、火災が確定したのかを容易に確認できる。
【００２５】
請求項３によれば、スクロール表示ボタンを操作することで、表示部に表示できない住戸情報を順次スクロールして表示できるので、表示部の設置スペースを広く確保することなく、多くの住戸情報を表示することができる。
【００２６】
請求項４によれば、請求項１〜３のいずれに記載の住棟受信機を備えているので、請求項１〜３のいずれかの利点を有した集合住宅火災警報システムを提供することができる。
【発明を実施するための最良の形態】
【００２７】
以下、添付図とともに、本発明の実施の形態について説明する。
【実施例１】
【００２８】
図４は、本発明の住棟受信機を用いて構成した集合住宅火災警報システムの概略構成を示すシステム図である。
【００２９】
管理人室などに設置された住棟受信機１は、各住戸に設置された住戸受信機２を、多重伝送線Ｌａと通話線Ｌｂとを介して接続している。
【００３０】
各住戸受信機２は、試験中継器付ドアホン子器３を中継器とし、１又は複数の火災感知器Ｓを接続しており、火災感知器Ｓの作動信号を検出する。
【００３１】
また、ドアホン子器３に戸外試験器４を接続したときには、住戸受信機２は、戸外試験器４の操作による擬似的な作動信号を検出し、戸外試験を可能とする。
【００３２】
このような構成において、各住戸受信機２と、住棟受信機１やこの住棟受信機１に接続されたロビーインターホン５との間では、通話線Ｌｂを通じてインターホン通話が行われる一方、多重伝送線Ｌａを通じ、インターホン通話のための制御信号の他、各住戸受信機２からの異常信号や火災信号（第１の火災信号、第２の火災信号）、試験火災信号が送信される。
【００３３】
図５（ａ）は住棟受信機の内部構成を示すブロック図、図５（ｂ）は住戸受信機の内部構成を示すブロック図である。
【００３４】
図５（ａ）で示す住棟受信機１は、ＣＰＵなどで構成され各部を制御する信号処理部１０と、多重伝送線Ｌａを介して各住戸受信機２あるいはロビーインターホン５との伝送制御を行うための多重伝送部１１と、各住戸受信機２あるいはロビーインターホン５との間で、ハンドセットＨ１による通話線Ｌｂを介した通話を制御するための通話部１２と、後述するスクロール表示ボタン１３ａを有し、各種スイッチ、ボタンなどで構成された操作部１３と、各住戸受信機２に対応した表示窓や、液晶画面、各種表示灯などで構成される表示部１４と、第１の火災信号、第２の火災信号を送出した各住戸受信機２、各住戸受信機２のアドレスなどを記憶する記憶部１５と、火災信号を受信したことなどを印字出力する印字出力部１６と、スピーカＳＰ１からアラームや音声メッセージなどを出力するための音出力部１７とを備える。
【００３５】
一方、図５（ｂ）で示す住戸受信機２は、タイマー２０ａを有し、ＣＰＵなどで構成され各部を制御する信号処理部２０と、多重伝送線Ｌａを介して住棟受信機１との伝送制御を行うための多重伝送部２１と、住棟受信機１との間で行う、ハンドセットＨ２による通話線Ｌｂを介した通話を制御するための通話部２２と、火災確定スイッチ２３ａと感知器復旧スイッチ２３ｂとを少なくとも有する操作部２３と、火災感知器Ｓが作動したことや火災が確定したことなどを表示する表示部２４と、自己アドレスなどを記憶した記憶部２５と、火災感知器Ｓの作動を検出する発報検出部２６と、スピーカＳＰ２から警報音を、アラームや音声メッセージなどで出力する音出力部２７とを備える。
【００３６】
このような住戸受信機２において、タイマー２０ａは火災感知器Ｓが発報して第１の火災信号を送信してから第２の火災信号を送信するまでの時間を計時するために設けられる。
【００３７】
また、火災確定スイッチ２３ａは、第１の火災信号を送信してからタイマー２０ａがタイムアップするまでの間に、住戸人が実火災であることを知らせるべく第２の火災信号を送信させるために設けられる。
【００３８】
更に、感知器復旧スイッチ２３ｂは、タイマー２０ａがタイムアップするまでの間に、火災感知器Ｓの作動の停止や、タイマー２０ａをリセットさせるために設けられる。
【００３９】
図１は、本発明の住棟受信機の表示部の一例を示す図である。
【００４０】
表示部１４は、火災代表灯１４ａと、感知器作動灯１４ｂと、複数の住戸情報表示部１４ｃと、スクロール表示ボタン１３ａとを備えている。
【００４１】
火災代表灯１４ａは、いずれかの住戸受信機２や図示しない発信器から第２の火災信号を受信したときに点滅する。感知器作動灯１４ｂは、いずれかの住戸受信機２から第１の火災信号を受信したときに点滅する。
【００４２】
住戸情報表示部１４ｃのそれぞれには、いずれかの住戸受信機２から、第１の火災信号を受信順に、棟番号、住戸番号で構成される住戸番号が表示され、点滅するようにしている。
【００４３】
ついで、いずれかの住戸受信機２から、第２の火災信号を受信した場合には、その住戸情報の表示が点滅から点灯に切り替わり、その他の住戸情報は点滅を維持する。
【００４４】
図１の例では、１棟１０５号室、１棟２０５号室、１棟１０６号室の順で第１の火災信号が送信され、その受信順に住戸番号を点滅して表示しており、１棟２０５号室から第２の火災信号が送信されて、その住戸情報の点滅を点灯に切り換えるとともに、火災表示灯１４ａを点滅させ、かつ、感知器作動灯１４ｂを消灯している。
【００４５】
これにより、管理人などは、１棟１０５号室、１棟２０５号室、１棟１０６号室の順で火災感知器Ｓが作動しており、１棟２０５号室で火災確定操作があったことを容易に確認することができる。
【００４６】
住戸情報表示部１４ｃに表示できない住戸情報は、スクロール表示ボタン１３ａを操作して、順次スクロールして表示させることができる。
【００４７】
このとき、第１の火災信号を受信した住戸情報は点滅表示する一方、第２の火災信号を受信した住戸情報は点灯表示する。
【００４８】
図２は、本発明の住棟受信機の基本動作を示すフローチャートである（１００〜１０５）。図３は、表示部における表示態様の具体例を示す図である。
【００４９】
住棟受信機１は、いずれかの住戸受信機２から第１の火災信号を受信したときには、感知器作動灯１４ｂを点滅させるとともに、住戸情報表示部１４ｃの空きエリアに、アドレスに基づいて住戸情報を点滅して表示させる。
【００５０】
ついで、第１の火災信号を受信した住戸（住戸情報表示部１４ｃに表示されている住戸）から第２の火災信号を受信したときには、感知器作動灯１４ａを消灯させるとともに火災代表灯１４ｂを点滅させ、かつ、第２の火災信号を受信した住戸情報を点滅から点灯に切り換える。なお、第２の火災信号を受信した住戸情報以外は点滅を維持させる。
【００５１】
一方、第１の火災信号を受信した住戸（住戸情報表示部１４ｃに表示されている住戸）以外の送信元から第２の火災信号を受信した場合には、感知器作動灯１４ａの点滅、住戸情報表示部１４ｃの点滅を維持させたまま、火災代表灯１４ａを点滅させる。
【００５２】
これにより、火災感知器の誤動作、発信器のいたづらなどによる第２の火災信号の受信と、実火災による第２の火災信号の受信とを明確に区別することができる。
【００５３】
図６は、住戸受信機２の基本動作を示すフローチャートである（２００〜２０８）。
【００５４】
各住戸の住戸受信機２は、火災感知器Ｓが作動すると、第１の火災信号を送信してタイマー２０ａを起動させる。
【００５５】
タイマー２０ａがタイムアップするまでの間に、感知器復旧スイッチ２３ｂが操作されたときには、火災感知器Ｓの作動を停止させ、住棟受信機１に復旧信号を送信する復旧処理を行い、タイマー２０ａをリセットさせる。
【００５６】
一方、タイマー２０ａがタイムアップするまでの間に、感知器復旧スイッチ２３ｂが操作されなかったときには、住棟受信機１に第２の火災信号を送信し、タイマー２０ａをリセットさせる。
【００５７】
また、タイマー２０ａがタイムアップしたときも、住棟受信機１に第２の火災信号を送信し、タイマー２０ａをリセットさせる。
【図面の簡単な説明】
【００５８】
【図１】本発明の住棟受信機の表示部の一例を示す図
【図２】本発明の住棟受信機の基本動作を示すフローチャート
【図３】表示部における表示態様の具体例を示す図
【図４】本発明の住棟受信機を用いて構成した集合住宅火災警報システムの概略構成を示すシステム図
【図５】（ａ）は住棟受信機の内部構成を示すブロック図、（ｂ）は住戸受信機の内部構成を示すブロック図
【図６】住戸受信機の基本動作を示すフローチャート
【符号の説明】
【００５９】
１  住棟受信機
２  住戸受信機
１３ａ  スクロール表示ボタン
１４  表示部
１４ａ  火災代表灯
１４ｂ  感知器作動灯
１４ｃ  住戸情報表示部
【図１】
2007286763.tif 000003
【図２】
2007286763.tif 000004
【図３】
2007286763.tif 000005
【図４】
2007286763.tif 000006
【図５】
2007286763.tif 000007
【図６】
2007286763.tif 000008